(57)【特許請求の範囲】
【請求項１】
給電素子と、該給電素子から所定距離離間させて配置された無給電素子と、前記給電素子に接続されたケーブルと、前記給電素子及び前記無給電素子とを搭載する主回路基板とを含むアンテナ装置において、
前記主回路基板上で前記給電素子及び前記無給電素子を保持するアンテナホルダを有し、
前記アンテナホルダは、前記給電素子及び前記無給電素子を保持するホルダ主面を有し、
該ホルダ主面には、前記給電素子を組み付けて保持する第１の給電設置面と、前記無給電素子を組み付けて保持する第１の無給電設置面とが形成されていることを特徴とするアンテナ装置。
【請求項２】
請求項１記載のアンテナ装置において、前記第１の給電設置面及び第１の無給電設置面は、前記ホルダ主面よりも低い面となっていることを特徴とするアンテナ装置。
【請求項３】
請求項１又は２記載のアンテナ装置において、前記給電素子は、第１の給電部と、該第１の給電部の一端に接続されている第２の給電部と、該第２の給電部の一端に接続されている第３の給電部と、該第３の給電部の一端に第４の給電部を介して接続されている第５の給電部とを有し、
前記第１の給電設置面及び第１の無給電設置面には、前記第１及び第２の給電部が組み付けられていることを特徴とするアンテナ装置。
【請求項４】
請求項１乃至３のいずれか１項に記載のアンテナ装置において、前記アンテナホルダは、前記ホルダ主面の周辺から立設されて互いに対向している第１及び第２のホルダ壁部と、該第１及び第２のホルダ壁部間を接続しかつ互いに対向している第３及び第４のホルダ壁部とを有し、
前記アンテナホルダは、前記ホルダ主面から前記第１の給電設置面に対向するように延びている複数の給電保持部と、前記第１のホルダ壁部から前記第１の給電設置面よりも高い位置へ延びている複数の爪部とを有し、
前記第１の給電設置面と給電保持部とは、前記給電素子の前記第１の給電部を挟み込むようにして保持しており、前記爪部は、前記給電素子の前記第１及び第２の給電部を位置決めすることを特徴とするアンテナ装置。
【請求項５】
請求項４記載のアンテナ装置において、前記アンテナホルダは、前記第３のホルダ壁部の一端側に形成されている給電支持部を有し、
前記給電支持部は、前記第３のホルダ壁部と平行な前記第１のホルダ壁部の端面に対向しており、前記給電支持部と前記端面との間で給電素子の前記第３乃至第５の給電部を支持していることを特徴とするアンテナ装置。
【請求項６】
請求項１乃至５のいずれか１項に記載のアンテナ装置において、前記無給電素子は、第１の無給電部と、該第１の無給電部の一端に接続されている第２の無給電部と、第２の無給電部分の一端に接続されている第３の無給電部とを有し、
前記アンテナホルダは、前記ホルダ主面から前記第２の無給電設置面に対向するように延びている複数の無給電保持部を有し、
前記無給電保持部は、前記無給電素子の前記第１及び第２の無給電部を挟み込むようにして保持することを特徴とするアンテナ装置。
【請求項７】
請求項６記載のアンテナ装置において、前記アンテナホルダは、前記第２のホルダ壁部の一端側で第４のホルダ壁部から前記第２の無給電設置面に引き続き突出している突出部に形成されている無給電支持部を有し、
前記無給電支持部は、前記第４のホルダ壁部と平行な突出部の面に対向しており、前記第４のホルダ壁部と前記無給電支持部との間で前記無給電素子の前記第３の無給電部を支持していることを特徴とするアンテナ装置。
【発明の詳細な説明】
【技術分野】
【０００１】
本発明は、アンテナ装置に関し、例えば、複数種のアンテナを搭載した複合アンテナ装置に使用される電話用アンテナに関する。
【背景技術】
【０００２】
この技術分野においては、周知のように、車両には種々のアンテナが搭載される。例えば、アンテナとしては、ＧＰＳ（全地球測位システム）用アンテナや、ＥＴＣ（自動料金収受システム）用アンテナ、ＶＩＣＳ（道路交通情報通信システム）用アンテナ、電話用アンテナ等がある。
【０００３】
ＧＰＳ（Global Positioning System）は、人工衛星を用いた衛星測位システムである。ＧＰＳにおいては、地球を周回している２４個の人工衛星のうちの４個の人工衛星からの電波（ＧＰＳ信号）を受信する。ＧＰＳは、受信した電波から移動体と人工衛星との位置関係および時間誤差を測定して三角測量の原理に基づいて、移動体の地図上における位置や高度を高精度で算出することを可能としたものである。
【０００４】
ＧＰＳは、走行する自動車の位置を検出するカーナビゲーションシステム等に利用され、広く普及している。カーナビゲーション装置は、このＧＰＳ信号を受信するためのＧＰＳ用アンテナと、このＧＰＳ用アンテナが受信したＧＰＳ信号を処理して車両の現在位置を検出する処理装置と、この処理装置で検出された位置を地図上に表示するための表示装置等から構成される。
【０００５】
一方、ＥＴＣ（Electronic toll Collection）は、高速道路等の有料道路の通行料を支払うための料金所における渋滞を緩和するための方策として開発されたシステムである。すなわち、ＥＴＣとは、高速道路料金所において、無線通信を利用して自動的に通行料金の支払いを行うシステムである。ＥＴＣでは、料金所に設置されているゲートに設けられた路側アンテナと、ＥＴＣ用アンテナを有する車載通信機器を搭載した通行車両との間で双方向通信を行い、通行車両の車両情報等を取得し、通行車両を停止させることなく高速道路通行料金の支払い業務を行うことを可能としたものである。
【０００６】
従来、ＧＰＳ用アンテナ、ＶＩＣＳ用アンテナ及びＥＴＣ用アンテナを備えた複合アンテナ装置が知られている（例えば、特許文献１参照）。この特許文献１に開示された複合アンテナ装置では、ＥＴＣ用アンテナを、ＧＰＳ用アンテナ及びＶＩＣＳ用アンテナを実装する回路基板とは別のサブアッセンブリとして実装している。すなわち、ＥＴＣ用アンテナは、ＧＰＳ用アンテナ及びＶＩＣＳ用アンテナと指向性が大きく異なるので、ＥＴＣ用アンテナだけ独立して取り付け方向を調整できるようにしている。
【０００７】
一方、車載用セルラーアンテナのような周波数帯域の広い広帯域アンテナとして、給電素子である逆Ｌ素子と無給電素子である寄生素子とを近接して配置した電話用アンテナも知られている。
【０００８】
【特許文献１】特開２００４−５６７７３号公報
【発明の開示】
【発明が解決しようとする課題】
【０００９】
特許文献１に開示されているように、従来のアンテナ装置において、給電素子である逆Ｌ素子と無給電素子である寄生素子とを近接して配置した電話用アンテナを備えるものでは、逆Ｌ素子と寄生素子とを構成するにあたり、容易にかつ幾何公差や寸法公差のばらつきによる影響の少ない構造が望ましい。
【００１０】
それ故に、本発明の課題は、給電素子及び無給電素子の組み付けが容易であり、給電素子及び無給電素子の組み付け時の幾何公差や寸法公差のばらつきによる影響の少ないアンテナ装置を提供することにある。
【課題を解決するための手段】
【００１１】
本発明の第１の態様によれば、給電素子（４１）と、該給電素子から所定距離離間させて配置された無給電素子（４２）と、前記給電素子に接続されたケーブル（６３）と、前記給電素子（４１）及び前記無給電素子（４２）とを搭載する主回路基板（５１）とを含むアンテナ装置において、前記主回路基板（５１）上で前記給電素子（４１）及び前記無給電素子（４２）を保持するアンテナホルダ（７５）を有し、前記アンテナホルダ（７５）は、前記給電素子（４１）及び前記無給電素子（４２）を保持するホルダ主面（７５ａ）を有し、該ホルダ主面（７５ａ）には、前記給電素子（４１）を組み付けて保持する第１の給電設置面（７５ｇ）と、前記無給電素子（４２）を組み付けて保持する第１の無給電設置面（７５ｈ）とが形成されていることを特徴とするアンテナ装置が得られる。
【００１２】
本発明の第１の態様のアンテナ装置において、前記第１の給電設置面（７５ｇ）及び第１の無給電設置面（７５ｈ）は、前記ホルダ主面（７５ａ）よりも低い面とすることが望ましい。
【００１３】
また、本発明の第１の態様のアンテナ装置において、前記給電素子（４１）は、第１の給電部（４１ａ）と、該第１の給電部（４１ａ）の一端に接続されている第２の給電部（４１ｂ）と、該第２の給電部（４１ｂ）の一端に接続されている第３の給電部（４１ｃ）と、該第３の給電部（４１ｃ）の一端に第４の給電部（４１ｄ）を介して接続されている第５の給電部（４１ｅ）とを有し、前記第１の給電設置面（７５ｇ）には、前記第１及び第２の給電部（４１ａ、４１ｂ）が組み付けられているようにしても良い。
【００１４】
また、本発明の第１の態様のアンテナ装置において、前記アンテナホルダ（７５）は、前記ホルダ主面（７５ａ）の周辺から立設されかつ互いに対向している第１及び第２のホルダ壁部（７５ｂ，７５ｃ）と、該第１及び第２のホルダ壁部（７５ｂ，７５ｃ）間を接続して互いに対向している第３及び第４のホルダ壁部（７５ｄ，７５ｅ）とを有し、前記アンテナホルダ（７５）には、前記ホルダ主面（７５ａ）から前記第１の給電設置面（７５ｇ）に対向するように延びている複数の給電保持部（７６ａ）と、前記第１の壁部（７５ｂ）から前記第１の給電設置面（７５ｇ）よりも高い位置へ延びている複数の爪部（７６ｂ）とを有し、前記第１の給電設置面（７５ｇ）と給電保持部（７６ａ）とは、前記給電素子（４１）の前記第１の給電部（４１ａ，４１ｂ）を挟み込むようにして保持しており、前記爪部（７６ｂ）は、前記給電素子（４１）の前記第１及び第２の給電部（４１ａ，４１ｂ）を位置決めするようにしても良い。
【００１５】
また、本発明の第１の態様のアンテナ装置において、前記アンテナホルダ（７５）は、前記第３のホルダ壁部（７５ｄ）の一端側に形成されている給電支持部（７６ｃ）を有し、前記給電支持部（７６ｃ）は、前記第３のホルダ壁部（７５ｄ）と平行な前記第１の壁部（７５ｂ）の端面（７５ｆ）に対向しており、前記給電支持部（７６ｃ）と前記端面（７５ｆ）との間で給電素子（４１）の前記第３乃至第５の給電部（４１ｃ，４１ｄ，４１ｅ）を支持するようにしても良い。
【００１６】
また、本発明の第１の態様のアンテナ装置において、前記無給電素子（４２）は、第１の無給電部（４２ａ）と、該第１の無給電部（４２ａ）の一端に接続されている第２の無給電部（４２ｂ）と、第２の無給電部分（４２ｂ）の一端に接続されている第３の無給電部（４２ｃ）とを有し、前記アンテナホルダ（７５）は、前記ホルダ主面（７５ａ）から前記第１の無給電設置面（７５ｈ）に対向するように延びている複数の無給電保持部（７７ａ）とを有し、前記無給電保持部（７７ａ）は、前記無給電素子（４２）の前記第１及び第２の無給電部（４２ａ，４２ｂ）を挟み込むようにして保持するようにしても良い。
【００１７】
さらに、本発明の第１の態様のアンテナ装置において、前記アンテナホルダ（７５）は、前記第２のホルダ壁部（７５ｃ）の一端側で第４のホルダ壁部（７５ｅ）から前記第２の無給電設置面（７５ｈ）に引き続き突出している突出部（７７ｂ）に形成されている無給電支持部（７７ｄ）を有し、前記無給電支持部（７７ｄ）は、前記第４のホルダ壁部（７５ｅ）と平行な突出部（７７ｂ）の面に対向しており、前記第４のホルダ壁部（７５ｅ）と前記無給電支持部（７７ｄ）との間で前記無給電素子（４２）の前記第３の無給電部（４２ｃ）を支持するようにしても良い。
【００１８】
尚、上記括弧内の符号は、本発明の理解を容易にするために付したものであり、一例にすぎず、これらに限定されないのは勿論である。
【発明の効果】
【００１９】
本発明では、給電素子及び無給電素子をアンテナホルダに組み付けるので、アンテナホルダのサブアッセンブリ化ができ、給電素子及び無給電素子の組み付けが容易となる。
【００２０】
また、アンテナホルダは一体型であるため、給電素子と無給電素子を組み付けるときの幾何公差や寸法公差のばらつきによる影響が少ないアンテナ装置を提供できる。
【発明を実施するための最良の形態】
【００２１】
以下、図面を参照して、本発明の実施の形態について詳細に説明する。
【００２２】
図１乃至図４は、本発明が適用される複合アンテナ装置５０を示している。図１は複合アンテナ装置５０を斜め前方から見た分解斜視図であり、図２は複合アンテナ装置５０を斜め後方から見た分解斜視図であり、図３は複合アンテナ装置５０を底面側から見た分解斜視図である。
【００２３】
図４は図１乃至図３中からトップケース、ボトムケース、およびグランド板を省いた状態の複合アンテナ装置５０を示す図で、（Ａ）は斜め前方から見た斜視図、（Ｂ）は平面図、（Ｃ）は前面図（正面図）、（Ｄ）は左側面図、（Ｅ）は右側面図、（Ｆ）は後面図（背面図）、（Ｇ）は底面図である。
【００２４】
図１乃至図４を参照して、複合アンテナ装置５０は、主回路基板５１とグランド板（接地板）５５とを備えている。複合アンテナ装置５０は、略四角形状の主回路基板５１上に第１乃至第４のアンテナ装置１０、第２のアンテナ装置２０、第３のアンテナ装置３０、第４のアンテナ装置４０が搭載された複アンテナ装置である。図示の例では、第１のアンテナ装置１０はＧＰＳ用アンテナであり、第２のアンテナ装置２０はＶＩＣＳ用アンテナであり、第３のアンテナ３０はＥＴＣ用アンテナであり、第４のアンテナ４０は電話用アンテナである。
【００２５】
第１のアンテナ装置１０は、第１のアンテナ素子１１と、この第１のアンテナ素子１１と接続されているＬＮＡ（低雑音増幅）回路（図示せず）とを備える。図示の例では、第１のアンテナ素子１１はパッチアンテナで構成されている。
【００２６】
第２のアンテナ装置２０は、第１のアンテナ装置１０と異なった位置に設けられている。第２のアンテナ装置２０は、第２のアンテナ素子２１と、この第２のアンテナ素子２１と接続されているフィルタ回路（図示せず）とを備える。図示の例では、第２のアンテナ素子２１も、第１のアンテナ素子１１と同様に、パッチアンテナで構成されている。
【００２７】
第１のアンテナ素子１１で受信されＬＮＡ回路を介して出力される信号と、第２のアンテナ素子２１で受信されフィルタ回路を介して出力される信号とはデュプレクサ（図示せず）で合成され、その合成信号は第１の出力ケーブル６１を介して信号処理装置（図示せず）へ伝達される。
【００２８】
第３のアンテナ装置３０は、主回路基板５１の主面５１ｅ上に前辺５１ａ側に配置され、第１及び第２のアンテナ素子１１、２１の配置位置よりも低い位置に配置されている。これにより、第３のアンテナ装置３０が第１及び第２のアンテナ装置１０、２０の受信の障害とならない。また、第３のアンテナ装置３０は、主回路基板５１の主面５１ｅに対して所定角度傾斜して配置されている。
【００２９】
第３のアンテナ装置３０は、第３のアンテナ素子３１と、この第３のアンテナ素子３１と平行に配置されたグランド板３２と、グランド板３２を搭載するベース３４と、第３のアンテナ素子３１とグランド板３２との間に介在するスペーサ３５とを備えている。なお、ベース３４は主回路基板５１にネジによって取り付けられると共に、グランド板５５上に搭載される。
【００３０】
グランド板３２は、その周端縁から第３のアンテナ素子３１の方向へ第３のアンテナ素子３１を囲むように立設して延びる壁部３２ａを有する。壁部３２ａの高さは、第３のアンテナ素子３１とグランド板３２との間の離間距離に実質的に等しいか、或いはそれよりも低い。第３のアンテナ素子３１とグランド板３２との間には給電導体（図示せず）を持つスペーサ（図示せず）が介在している。第３のアンテナ素子３１は、矩形の金属板からなり、対角方向に長孔３１ａを持つ。
【００３１】
第３のアンテナ素子３１で受信された信号は、同軸型の第２の出力ケーブル６２を介して外部回路（図示せず）へ伝達される。詳述すると、第２の出力ケーブル６２の中心導体（内部導体）は給電導体の一端に接続され、第２の出力ケーブル６２の外部導体はグランド板３２に接続されている。
【００３２】
第４のアンテナ装置４０は、帯状の給電素子４１と、この給電素子４１と平行に配置された帯状の無給電素子４２とから構成されている。図示の例では、給電素子４１は逆Ｌ素子から構成されている。無給電素子４２は寄生素子から構成されている。
【００３３】
給電素子４１および無給電素子４２は、アンテナホルダ７５によって保持されている。アンテナホルダ７５は、主回路基板５１の主面５１ｅ上に搭載されている。
【００３４】
さらに、第４のアンテナ装置４０は、サブアンテナ４５をも備えている。サブアンテナ４５は主回路基板５１の主面５１ｅ上に形成された導体パターンから構成されて良い。このサブアンテナ４５で受信された信号は、同軸型の第４の出力ケーブル６４を介して外部回路（図示せず）へ伝達される。
【００３５】
給電素子４１は、第１の給電部４１ａと、第１の給電部４１ａの長手方向の一端に接続されている第２の給電部４１ｂと、第２の給電部４１ｂの長手方向の一端に接続されている第３の給電部４１ｃと、第３の給電部４１ｃの一端に第４の給電部４１ｄを介して接続されている第５の給電部４１ｅとを有している。
【００３６】
第１及び第２の給電部４１ａ、４１ｂは、接続部分から側面略への字形状になるように傾斜している。第３の給電部４１ｃは、第２の給電部４１ｂの一端から第２の給電部４１ｂに対して略直角方向へ曲げられている。第５の給電部４１ｅは、第４の給電部４１ｄを介して第３の給電部４１ｃと同じ方向へ延びている。第４の給電部４１ｄは、第３及び第５の給電部４１ｃ、４１ｅの接続部分で側面略コ字状に曲げられている。
【００３７】
第１及び第２の給電部４１ａ，４１ｂは、主回路基板５１の前辺５１ａ側で主回路基板５１の主面５１ｅに対向するように配置される。なお、第１及び第２の給電部４１ａ，４１ｂは、主回路基板５１の前辺５１ａ側の前方部分が主回路基板５１の主面５１ｅへ近づく方向へ傾斜している。これは、後述するアンテナホルダ７５及びトップケース９２の形状に合わせるためである。第３乃至第５の給電部４１ｃ，４１ｄ，４１ｅは、主回路基板５１の主面５１ｅに対して実質的に垂直方向に配置される。第４の給電部４１ｄは、矩形状に折り返された矩形部分となっている。
【００３８】
無給電素子４２は、第１の無給電部４２ａと、第１の無給電部４２ａの長手方向の一端に接続されている第２の無給電部４２ｂと、第２の無給電部分４２ｂの長手方向の一端に接続されている第３の無給電部４２ｃとを有している。
【００３９】
第１及び第２の無給電部４２ａ、４２ｂは、接続部分から側面略への字形状になるように傾斜している。第３の無給電部４２ｃは、第２の無給電部分４２ｂに対して略直角方向へ曲げられている。
【００４０】
第１及び第２の無給電部４２ａ，４２ｂは、主回路基板５１の前辺５１ａ側で主回路基板５１の主面５１ｅに対向するように配置される。なお、第１及び第２の無給電部４２ａ，４２ｂは、主回路基板５１の前辺５１ａ側の前方部分が主回路基板５１の主面５１ｅへ近づく方向へ傾斜している。これは、後述するアンテナホルダ７５及びトップケース９２の形状に合わせるためである。第３の無給電部４１ｃは、主回路基板５１の主面５１ｅに対して実質的に垂直方向に配置される。
【００４１】
アンテナホルダ７５は、図５及び図６にも示すように、略四角板状のホルダ主面７５ａと、ホルダ主面７５ａの周辺から立設されて互いに対向している第１及び第２のホルダ壁部７５ｂ，７５ｃと、第１及び第２のホルダ壁部７５ｂ，７５ｃ間を接続して互いに対向している第３及び第４のホルダ壁部７５ｄ，７５ｅとを有している。
【００４２】
ホルダ主面７５ａには、第１のホルダ壁部７５ｂ側に沿って形成されている第１の給電設置面７５ｇと、第１のホルダ壁部７５ｂに対向している第２のホルダ壁部７５ｃ側に沿って形成されている第１の無給電設置面７５ｈとが形成されている。
【００４３】
第１の給電設置面７５ｇは、ホルダ主面７５ａよりも低い面となっている。アンテナホルダ７５には、ホルダ主面７５ａから第１の給電設置面７５ｇへ対向するように延びている複数の給電保持部７６ａと、第１のホルダ壁部７５ｂから第１の給電設置面７５ｇよりも高い位置へ突出している複数の爪部７６ｂと、第３の壁部７５ｄの一端側に形成されている給電支持部７６ｃとを有している。
【００４４】
第１の給電設置面７５ｇと給電保持部７６ａとは、給電素子４１の第１の給電部４１ａ，４１ｂを挟み込むようにして保持している。爪部７６ｂは、給電素子４１の第１及び第２の給電部４１ａ，４１ｂを位置決めしている。給電支持部７６ｃは、第３のホルダ壁部７５ｄと平行な第１のホルダ壁部７５ｂの端面７５ｆに対向しており、給電支持部７６ｃと端面７５ｆとの間で給電素子４１の第３乃至第５の給電部４１ｃ，４１ｄ，４１ｅを支持している。
【００４５】
なお、給電支持部７６ｃには、端面７５ｆに対向する面に第４の給電部４１ｄを係止する突起部７６ｆが形成されている。第５の給電部４１ｅの先端部は、主回路基板５１に形成されている貫通孔５１５から主回路基板５１の裏面へ延びている。第５の給電部４１ｅは、アンテナホルダ７５のホルダ主面７５ａとは反対側へ延びてアンテナホルダ７５の外に位置している。
【００４６】
第１の無給電設置面７５ｈは、ホルダ主面７５ａよりも低い面となっている。アンテナホルダ７５には、ホルダ主面７５ａから第２の無給電設置面７５ｈへ対向するように延びている複数の無給電保持部７７ａと、第２の壁部７５ｃの一端側で第４の壁部７５ｅから第２の無給電設置面７５ｈに引き続き延びるように突出している突出部７７ｂに形成されている無給電支持部７７ｄとを有している。
【００４７】
無給電保持部７７ａは、無給電素子４２の第１及び第２の無給電部４２ａ，４２ｂを挟み込むようにして保持している。無給電支持部７７ｄは、第４の壁部７５ｅと平行な突出部７７ｂの面に対向しており、第４の壁部７５ｅと無給電支持部７７ｄとの間で無給電素子４２の第３の無給電部４２ｃを支持している。第３の無給電部４２ｃは、アンテナホルダ７５のホルダ主面７５ａとは反対側へ延びてアンテナホルダ７５の外に位置している。第３の無給電部４２ｃの先端部は、主回路基板５１に形成されている貫通孔５１６から主回路基板５１の裏面へ延びている。
【００４８】
さらに、アンテナホルダ７５には、主回路基板５１へアンテナホルダ７５をネジ１０１によって固定するための複数のホルダ固定部７９が形成されている。
【００４９】
主回路基板５１の裏面にはグランドパターン（図示せず）が形成されている。従って、主回路基板５１は接地板としても働く。主回路基板５１の主面５１ｅの逆Ｌ素子４１と接する箇所は給電点（図示せず）であり、この給電点は同軸型の第３の出力ケーブル６３の内部導体（中心導体）（図示せず）に接続されている。また、この給電点の箇所で、第３の出力ケーブル６３の外部導体（図示せず）は、主回路基板５１の裏面に形成されているグランドパターンとはんだ付けにより電気的に接続され、接地される。すなわち、第３の出力ケーブル６３は、給電点において第１の接地部８２ａを有する。
【００５０】
複合アンテナ装置５０においては、板バネ８２を用いて第３の出力ケーブル６３の露出した外部導体に板バネ８２を巻き付け固定し、ねじ締めによって主回路基板５１上に固定し、主回路基板５１の裏面に形成されたグランドパターンと電気的に接続し接地している。
【００５１】
なお、複合アンテナ装置５０においては、接地金具（図示せず）を用いて、第３の出力ケーブル６３の露出した外部導体に接地金具を巻き付けカシメ固定し、ねじ締めによって主回路基板５１上に固定し、主回路基板５１の裏面に形成されたグランドパターンと電気的に接続し接地することもできる。
【００５２】
複合アンテナ装置５０においては、第１乃至第４の出力ケーブル６１〜６４は主回路基板５１の裏面５１ｆ上を引き回される。そして、これら第１乃至第４の出力ケーブル６１〜６４は、主回路基板５１の裏面５１ｆ上に取り付けられたケーブルホルダ６７によって保持される。換言すれば、第１乃至第４の出力ケーブル６１〜６４は、主回路基板５１とグランド板５５との間に配置されている。
【００５３】
複合アンテナ装置５０において、第１のアンテナ装置１０のＬＮＡ（低雑音増幅）回路（図示せず）および第２のアンテナ装置２０のフィルタ回路（図示せず）は、主回路基板５１の裏面５１ｆ上に搭載されている。そして、これらＬＮＡ回路とフィルタ回路は、主回路基板５１の裏面５１ｆ上に設けられたシールドケース１５で覆われている。
【００５４】
さらに、複合アンテナ装置５０は、主回路基板５０を搭載するボトムケース９１を更に備えている。ボトムケース９１は主回路基板５０よりやや大きめの寸法の矩形形状をしている。
【００５５】
複合アンテナ装置５０は、第１乃至第４のアンテナ装置１０、２０、３０、及び４０を覆うトップケース９２を更に備えている。トップケース９２は、アンテナホルダ７５のホルダ主面７５ａに対応しているケース主面９２ａと、ケース主面９２ａの周辺から立設されている周壁部９２ｂとを有している。従って、第１乃至第４のアンテナ装置１０、２０、３０、及び４０は、ボトムケース９１及びトップケース９２に収容される。
【００５６】
このような構成の複合アンテナ装置５０は、主回路基板５１の前辺５１ａが前方となるように、車両内部のダッシュボード内等に取り付けられる。
【００５７】
上述したように、第１乃至第４のアンテナ装置１０、２０、３０及び４０を主回路基板５１上の適切な位置に配置することにより、各アンテナ装置に要求されるアンテナ放射特性を満足させることができる。
【００５８】
トップケース９２周壁部９２ｂには、第１乃至第３の出力ケーブル６１〜６４をそれぞれ外部へ引き出すための第１乃至第３の開口９３ａ〜９３ｄを持つ。
【００５９】
ボトムケース９１は、後縁を除いて、トップケース９２の周壁を覆うように立設する壁９１ａを有する。ボトムケース９１の壁９１ａの両側面には、一対のブラケット９５が取り付けられている。この一対のブラケット９５によって、複合アンテナ装置５０は、車両内部のダッシュボート内で取り付けられ、或いはパケットトレイ（リア）内に埋め込まれる。
【００６０】
とにかく、ブラケット９５を設けることによって、複合アンテナ装置５０の取り付けを容易に行うことが可能となる。
【００６１】
以上、本発明について好ましい実施の形態によって説明してきたが、本発明は上述した実施の形態に限定しないのは勿論である。例えば、上記実施の形態では、供給素子４１、無供給素子４２、アンテナホルダ７５のホルダ主面７５ａがトップケース９２のケース主面９２ａの形状に合わせて曲がった形状を有しているが、真っ直ぐな形状であっても良いのは勿論である。また、上述した実施の形態では、第４のアンテナ装置は接地板や回路基板上に搭載されているが、接地板や回路基板を省いても良い。
【図面の簡単な説明】
【００６２】
【図１】本発明が適用される更に別の複合アンテナ装置を斜め前方から見た分解斜視図である。
【図２】図１に示した複合アンテナ装置を斜め後方から見た分解斜視図である。
【図３】図１に示した複合アンテナ装置を底面側から見た分解斜視図である。
【図４】図１乃至図３中からトップケース、ボトムケース、およびグランド板を省いた状態の複合アンテナ装置を示す図で、（Ａ）は斜め前方から見た斜視図、（Ｂ）は平面図、（Ｃ）は前面図（正面図）、（Ｄ）は左側面図、（Ｅ）は右側面図、（Ｆ）は後面図（背面図）、（Ｇ）は底面図である。
【図５】図４に示した給電素子と無給電素子とを取り付けたアンテナホルダを示す斜視図である。
【図６】図５に示した給電素子と無給電素子とを取り付けたアンテナホルダを裏面から見た状態の斜視図である。
【符号の説明】
【００６３】
１０    第１のアンテナ装置（ＧＰＳ用アンテナ）
１１    第１のアンテナ素子（パッチアンテナ）
１５    シールドケース
２０    第２のアンテナ装置（ＶＩＣＳ用アンテナ）
２１    第２のアンテナ素子（パッチアンテナ）
３０    第３のアンテナ装置（ＥＴＣ用アンテナ）
３１    第３のアンテナ素子
３１ａ    長孔
３２    グランド板
３２ａ    壁部
３４    ベース
３５    スペーサ
４０    第４のアンテナ装置（電話用アンテナ）
４１    給電素子（逆Ｌ素子）
４１ａ    第１の給電部
４１ｂ    第２の給電部
４１ｃ    第３の給電部
４１ｄ    第４の給電部
４１ｅ    第５の給電部
４２    無給電素子（寄生素子）
４２ａ    第１の無給電部
４２ｂ    第２の無給電部
４２ｃ    第３の無給電部
４５    サブアンテナ
５０    複合アンテナ装置
５１    主回路基板
５１ａ    前辺
５１ｅ    主面
５１ｆ    裏面
５５    グランド板
６１    第１の出力ケーブル
６２    第２の出力ケーブル
６３    第３の出力ケーブル（同軸ケーブル）
６４    第４の出力ケーブル
６７    ケーブルホルダ
７５    アンテナホルダ
７５ａ    ホルダ主面
７５ｂ    第１のホルダ壁部
７５ｃ    第２のホルダ壁部
７５ｄ    第３のホルダ壁部
７５ｅ    第４のホルダ壁部
７５ｇ    第１の給電設置面
７５ｈ    第１の無給電設置面
７６ａ    給電保持部
７６ｂ    爪部
７６ｃ    給電支持部
７６ｆ    突起部
７７ａ    無給電保持部
７７ｂ    突出部
７７ｄ    無給電支持部
７９    ホルダ固定部
８２ａ    第１の接地部
８２      板バネ
９１      ボトムケース
９１ａ    壁
９２      トップケース
９２ａ    ケース主面
９２ｂ    第１のケース壁部
９５    ブラケット
【図１】
0004607039.tif 000002
【図２】
0004607039.tif 000003
【図３】
0004607039.tif 000004
【図４】
0004607039.tif 000005
【図５】
0004607039.tif 000006
【図６】
0004607039.tif 000007